(57)【要約】  本開示は、状態処理方法、端末及び基地局を提供する。当該方法において、基地局から送信された状態設定情報を受信するステップと、前記状態設定情報に基づいて、前記セカンダリセルの初期状態及び前記セカンダリセルに関連する帯域幅部分ＢＷＰの初期状態を、活性状態と非活性状態の間の状態である新規状態に設定するか否かを決定するステップとを含み、前記基地局から前記ユーザ端末に対して設定する前記セカンダリセルの数は、少なくとも１つである。【選択図】図２
2021510036.tif 000002
【特許請求の範囲】
【請求項１】
セカンダリセルに対し状態制御を行うための状態処理方法において、
基地局から送信された状態設定情報を受信するステップと、
前記状態設定情報に基づいて、セカンダリセルの初期状態及び前記セカンダリセルに関連する帯域幅部分ＢＷＰの初期状態を、活性状態と非活性状態の間の状態である新規状態に設定するか否かを決定するステップとを含み、
前記基地局からユーザ端末に対して設定する前記セカンダリセルの数は、少なくとも１つである、状態処理方法。
【請求項２】
前記状態設定情報は、前記セカンダリセルの全て又は一部の初期状態が前記新規状態であることを指示し、前記セカンダリセルに関連する全て又は一部のＢＷＰの初期状態が前記新規状態であることを指示するための第１設定情報を含む、請求項１に記載の方法。
【請求項３】
前記状態設定情報は、前記セカンダリセルの新規状態タイマのタイミング時間を指示するための第２設定情報をさらに含み、
基地局から送信された状態設定情報を受信するステップの後に、
前記第２設定情報に従って、前記セカンダリセルの新規状態タイマのタイミング時間を設定することと、
前記セカンダリセルが新規状態に入ると、前記セカンダリセルの新規状態タイマを起動又は再起動することと、
基地局からメディアアクセス制御ＭＡＣ制御エレメントＣＥを通じて前記セカンダリセルに対する、新規状態から非活性状態へのスイッチング、又は新規状態から活性状態へのスイッチング、又は新規状態から離れるとの指示がユーザ端末に受信されると、前記セカンダリセルの新規状態タイマを停止することと、
前記セカンダリセルの新規状態タイマがタイムアウトすると、前記セカンダリセルを非活性状態にハンドオーバすることとをさらに含む、請求項１に記載の方法。
【請求項４】
前記基地局は、ＲＲＣ接続再設定メッセージを通じて前記状態設定情報を送信する、請求項３に記載の方法。
【請求項５】
基地局から送信された状態設定情報を受信することは、
ソース基地局から前記ユーザ端末に対し設定した前記状態設定情報を受信すること、
又は、
ハンドオーバ先のターゲット基地局から前記ユーザ端末に対し設定した状態設定情報を受信することを含み、
ここで、前記ターゲット基地局は、ターゲット基地局から前記ユーザ端末に対し設定した状態設定情報が含まれるハンドオーバコマンドをソース基地局に送信し、
ソース基地局は、ハンドオーバコマンドを前記ユーザ端末に転送する、請求項３に記載の方法。
【請求項６】
前記ユーザ端末がアクセスする基地局が前記ターゲット基地局にハンドオーバした後に、
前記セカンダリセルの新規状態タイマが起動しかつタイムアウトでない場合、
前記新規状態タイマの動作が継続するように制御することと、前記新規状態タイマの動作が停止するように制御することと、前記新規状態タイマが再起動するように制御することとのいずれか一つを含む第１方式で前記新規状態タイマを処理することをさらに含む、請求項５に記載の方法。
【請求項７】
前記ユーザ端末がアクセスする基地局が前記ターゲット基地局にハンドオーバした後に、
前記セカンダリセルの非活性タイマが起動しかつタイムアウトでない場合、
前記非活性タイマの動作が継続するように制御することと、前記非活性タイマの動作が停止するように制御することと、前記非活性タイマが再起動するように制御することとのいずれか一つを含む第２方式で前記非活性タイマを処理することをさらに含む、請求項５に記載の方法。
【請求項８】
前記状態設定情報に基づいて、前記セカンダリセルの初期状態及び前記セカンダリセルに関連する帯域幅部分ＢＷＰの初期状態を新規状態に設定するか否かを決定するステップの後に、
前記ユーザ端末によるＢＷＰスイッチングの後に、ＢＷＰスイッチングの実行に対応するセカンダリセルであるターゲットセカンダリセルの状態を、所定規則に従って決定することをさらに含み、
前記所定規則は、
前記ターゲットセカンダリセルに関連するＭ（Ｍ≧１）個のＢＷＰのうち少なくともＪ（Ｍ≧Ｊ≧１）個のＢＷＰが新規状態であれば、前記ターゲットセカンダリセルを新規状態と決定すること、
前記ターゲットセカンダリセルに関連するＭ個のＢＷＰのうち最大でＫ（Ｋ＝Ｊ−１）個までのＢＷＰが新規状態であり、かつ少なくとも１つのＢＷＰが活性状態であれば、前記ターゲットセカンダリセルを活性状態と決定すること、
前記ターゲットセカンダリセルに関連するすべてのＢＷＰが非活性状態であれば、前記ターゲットセカンダリセルを非活性状態と決定することを含む、請求項１に記載の方法。
【請求項９】
セカンダリセルに対し状態制御を行うための状態処理方法において、
状態設定情報をユーザ端末に送信するステップを含み、
前記状態設定情報は、前記セカンダリセルの初期状態及び前記セカンダリセルに関連する帯域幅部分ＢＷＰの初期状態を、活性状態と非活性状態の間の状態である新規状態に設定するか否かを、前記ユーザ端末が決定することに用いられ、
基地局から前記ユーザ端末に対して設定する前記セカンダリセルの数は、少なくとも１つである、状態処理方法。
【請求項１０】
前記状態設定情報は、前記セカンダリセルの全て又は一部の初期状態が前記新規状態であることを指示し、前記セカンダリセルに関連する全て又は一部のＢＷＰの初期状態が前記新規状態であることを指示するための第１設定情報を含む、請求項９に記載の方法。
【請求項１１】
前記状態設定情報は、前記セカンダリセルの新規状態タイマのタイミング時間を指示するための第２設定情報をさらに含む、請求項９に記載の方法。
【請求項１２】
状態設定情報を前記ユーザ端末に送信することは、
前記基地局から前記ユーザ端末に対し設定した前記状態設定情報を前記ユーザ端末に送信すること、
又は、
ハンドオーバ先のターゲット基地局から前記ユーザ端末に対し設定した状態設定情報を前記ユーザ端末に送信することを含み、
ここで、前記ターゲット基地局は、ターゲット基地局から前記ユーザ端末に対し設定した状態設定情報が含まれるハンドオーバコマンドを前記基地局に送信し、
前記基地局は、ハンドオーバコマンドを前記ユーザ端末に転送する、請求項１０に記載の方法。
【請求項１３】
ユーザ端末であって、
基地局から送信された状態設定情報を受信するための受信モジュールと、
前記状態設定情報に基づいて、セカンダリセルの初期状態及び前記セカンダリセルに関連する帯域幅部分ＢＷＰの初期状態を、活性状態と非活性状態の間の状態である新規状態に設定するか否かを決定するための第１決定モジュールとを含み、
前記基地局から前記ユーザ端末に対して設定する前記セカンダリセルの数は、少なくとも１つである、ユーザ端末。
【請求項１４】
前記状態設定情報は、前記セカンダリセルの全て又は一部の初期状態が前記新規状態であることを指示し、前記セカンダリセルに関連する全て又は一部のＢＷＰの初期状態が前記新規状態であることを指示するための第１設定情報を含む、請求項１３に記載のユーザ端末。
【請求項１５】
前記状態設定情報は、前記セカンダリセルの新規状態タイマのタイミング時間を指示するための第２設定情報をさらに含み、
前記第２設定情報に従って、前記セカンダリセルの新規状態タイマのタイミング時間を設定するための設定モジュールと、
前記セカンダリセルが新規状態に入ると、前記セカンダリセルの新規状態タイマを起動又は再起動するための起動モジュールと、
基地局からメディアアクセス制御ＭＡＣ制御エレメントＣＥを通じて前記セカンダリセルに対する、新規状態から非活性状態へのスイッチング、又は新規状態から活性状態へのスイッチング、又は新規状態から離れるとの指示がユーザ端末に受信されると、前記セカンダリセルの新規状態タイマを停止し、新規状態タイマがタイムアウトすると、前記セカンダリセルを非活性状態にハンドオーバするための第１制御モジュールとをさらに含む、請求項１３に記載のユーザ端末。
【請求項１６】
前記基地局は、ＲＲＣ接続再設定メッセージを通じて前記状態設定情報を送信する、請求項１５に記載のユーザ端末。
【請求項１７】
前記受信モジュールは、具体的に、
ソース基地局から前記ユーザ端末に対し設定した前記状態設定情報を受信すること、又は、ハンドオーバ先のターゲット基地局から前記ユーザ端末に対し設定した状態設定情報を受信することに用いられ、
ここで、前記ターゲット基地局は、ターゲット基地局から前記ユーザ端末に対し設定した状態設定情報が含まれるハンドオーバコマンドをソース基地局に送信し、
ソース基地局は、ハンドオーバコマンドを前記ユーザ端末に転送する、請求項１５に記載のユーザ端末。
【請求項１８】
前記ユーザ端末がアクセスする基地局が前記ターゲット基地局にハンドオーバした後に、前記セカンダリセルの新規状態タイマが起動しかつタイムアウトでない場合、第１方式で前記新規状態タイマを処理するための第１処理モジュールをさらに含み、
前記第１方式は、前記新規状態タイマの動作が継続するように制御することと、前記新規状態タイマの動作が停止するように制御することと、前記新規状態タイマが再起動するように制御することとのいずれか一つを含む、請求項１７に記載のユーザ端末。
【請求項１９】
前記ユーザ端末がアクセスする基地局が前記ターゲット基地局にハンドオーバした後に、前記セカンダリセルの非活性タイマが起動しかつタイムアウトでない場合、第２方式で前記非活性タイマを処理するための第２処理モジュールをさらに含み、
前記第２方式は、前記非活性タイマの動作が継続するように制御することと、前記非活性タイマの動作が停止するように制御することと、前記非活性タイマが再起動するように制御することとのいずれか一つを含む、請求項１７に記載のユーザ端末。
【請求項２０】
前記ユーザ端末によるＢＷＰスイッチングの後に、ＢＷＰスイッチングの実行に対応するセカンダリセルであるターゲットセカンダリセルの状態を、所定規則に従って決定するための第２決定モジュールをさらに含み、
前記所定規則は、
前記ターゲットセカンダリセルに関連するＭ（Ｍ≧１）個のＢＷＰのうち少なくともＪ（Ｍ≧Ｊ≧１）個のＢＷＰが新規状態であれば、前記ターゲットセカンダリセルを新規状態と決定すること、
前記ターゲットセカンダリセルに関連するＭ個のＢＷＰのうち最大でＫ（Ｋ＝Ｊ−１）個までのＢＷＰが新規状態であり、かつ少なくとも１つのＢＷＰが活性状態であれば、前記ターゲットセカンダリセルを活性状態と決定すること、
前記ターゲットセカンダリセルに関連するすべてのＢＷＰが非活性状態であれば、前記ターゲットセカンダリセルを非活性状態と決定することを含む、請求項１３に記載のユーザ端末。
【請求項２１】
基地局であって、
状態設定情報をユーザ端末に送信するための送信モジュールを含み、
前記状態設定情報は、セカンダリセルの初期状態及び前記セカンダリセルに関連する帯域幅部分ＢＷＰの初期状態を、活性状態と非活性状態の間の状態である新規状態に設定するか否かを、前記ユーザ端末が決定することに用いられ、
前記基地局から前記ユーザ端末に対して設定する前記セカンダリセルの数は、少なくとも１つである、基地局。
【請求項２２】
前記状態設定情報は、前記セカンダリセルの全て又は一部の初期状態が前記新規状態であることを指示し、前記セカンダリセルに関連する全て又は一部のＢＷＰの初期状態が前記新規状態であることを指示するための第１設定情報を含む、請求項２１に記載の基地局。
【請求項２３】
前記状態設定情報は、前記セカンダリセルの新規状態タイマのタイミング時間を指示するための第２設定情報をさらに含む、請求項２１に記載の基地局。
【請求項２４】
前記送信モジュールは、具体的に、
前記基地局から前記ユーザ端末に対し設定した前記状態設定情報を前記ユーザ端末に送信すること、又は、ハンドオーバ先のターゲット基地局から前記ユーザ端末に対し設定した状態設定情報を前記ユーザ端末に送信することに用いられ、
ここで、前記ターゲット基地局は、ターゲット基地局から前記ユーザ端末に対し設定した状態設定情報が含まれるハンドオーバコマンドを前記基地局に送信し、
前記基地局は、前記送信モジュールによってハンドオーバコマンドを前記ユーザ端末に転送する、請求項２３に記載の基地局。
【請求項２５】
プロセッサと、メモリと、前記メモリに記憶され、前記プロセッサで動作するコンピュータプログラムとを含むユーザ端末であって、
前記コンピュータプログラムが前記プロセッサによって実行されると、前記プロセッサは、請求項１乃至９のいずれか１項に記載の状態処理方法のステップを実現する、ユーザ端末。
【請求項２６】
プロセッサと、メモリと、前記メモリに記憶され、前記プロセッサで動作するコンピュータプログラムとを含む基地局であって、
前記コンピュータプログラムが前記プロセッサによって実行されると、前記プロセッサは、請求項１０乃至１２のいずれか１項に記載の状態処理方法のステップを実現する、基地局。
【請求項２７】
コンピュータプログラムが記憶されているコンピュータ読み取り可能な記憶媒体であって、
前記コンピュータプログラムがプロセッサによって実行されると、前記プロセッサは、請求項１乃至１２のいずれか１項に記載の状態処理方法のステップを実現する、コンピュータ読み取り可能な記憶媒体。
【発明の詳細な説明】
【技術分野】
【０００１】
本願は、２０１８年１月４日に中国特許庁に提出された中国特許出願２０１８１０００９１２８．２の優先権を主張し、その全ての内容が援用によりここに取り込まれる。
本開示は、通信技術分野に係り、特に状態処理方法、端末及び基地局に係る。
【背景技術】
【０００２】
ロングタームエボリューションＬＴＥシステムでは、キャリアアグリゲーション技術が導入されている。キャリア技術は、１つのユーザ端末ＵＥが複数のセル（Ｃｅｌｌ）を通じてネットワークに接続して通信を行うものであり、そのうち１つのセルは、ＰＣｅｌｌ（プライマリセル）であり、他のセルは、ＳＣｅｌｌ（セカンダリセル）である。ここでＳＣｅｌｌは、活性／非活性状態を有するが、ＰＣｅｌｌは、非活性状態を有さず、活性状態のままである。
【０００３】
基地局がＲＲＣＣｏｎｎｅｃｔｉｏｎＲｅｃｏｎｆｉｇｕｒａｔｉｏｎ（ＲＲＣ接続再設定メッセージ）を通じて１つ又は複数のＳＣｅｌｌを追加するとき、これらのＳＣｅｌｌの初期状態は、非活性である。ハンドオーバシナリオにおいて同様に、ターゲット基地局は、ＨａｎｄｏｖｅｒＣｏｍｍａｎｄ（ハンドオーバコマンド）によってＳＣｅｌｌ設定情報をソース基地局に送信し、ソース基地局からＲＲＣＣｏｎｎｅｃｔｉｏｎＲｅｃｏｎｆｉｇｕｒａｔｉｏｎによってＵＥに転送するとき、すべてのＳＣｅｌｌ初期状態は、非活性状態である。
【０００４】
ＵＥは、ＳＣｅｌｌごとに１つの非活性タイマｓＣｅｌｌＤｅａｃｔｉｖａｔｉｏｎＴｉｍｅｒを保守する。ＳＣｅｌｌが活性状態に入ると、ＵＥは、対応するｓＣｅｌｌＤｅａｃｔｉｖａｔｉｏｎＴｉｍｅｒを起動し、ｓＣｅｌｌＤｅａｃｔｉｖａｔｉｏｎＴｉｍｅｒによって指定された時間内に、対応するＳＣｅｌｌでデータ又はＰＤＣＣＨ（Ｐｈｙｓｉｃａｌ  Ｄｏｗｎｌｉｎｋ  Ｃｏｎｔｒｏｌ  Ｃｈａｎｎｅｌ：物理ダウンリンク制御チャネル）メッセージを受信しない場合、このＳＣｅｌｌを自動的に非活性化する。
【０００５】
通信システムにおいて、ＳＣｅｌｌは、活性状態と非活性状態との間の状態である新規状態を導入する。関連メカニズムでは活性状態と非活性状態のみを定義しているが、新規状態が追加された後、どのようにユーザ端末にＳＣｅｌｌの状態を設定するかについて明確に定義されていないので、解決が必要である。
【発明の概要】
【発明が解決しようとする課題】
【０００６】
本開示の一部の実施例は、状態処理方法、端末及び基地局を提供することによって、新規状態の導入による設定問題を解決しようとする。
【課題を解決するための手段】
【０００７】
第１方面において、本開示の一部実施例は、セカンダリセルに対し状態制御を行うための状態処理方法を提供する。当該方法において、基地局から送信された状態設定情報を受信するステップと、前記状態設定情報に基づいて、前記セカンダリセルの初期状態及び前記セカンダリセルに関連する帯域幅部分ＢＷＰ（Ｂａｎｄｗｉｄｔｈ  Ｐａｒｔ）の初期状態を、活性状態と非活性状態の間の状態である新規状態に設定するか否かを決定するステップとを含み、前記基地局からユーザ端末に対して設定する前記セカンダリセルの数は、少なくとも１つである。
【０００８】
第２方面において、本開示の一部の実施例は、セカンダリセルに対し状態制御を行うための状態処理方法をさらに提供する。当該方法において、状態設定情報をユーザ端末に送信するステップを含む。前記状態設定情報は、前記セカンダリセルの初期状態及び前記セカンダリセルに関連する帯域幅部分ＢＷＰの初期状態を、活性状態と非活性状態の間の状態である新規状態に設定するか否かを、前記ユーザ端末が決定することに用いられる。前記基地局から前記ユーザ端末に対して設定する前記セカンダリセルの数は、少なくとも１つである。
【０００９】
第３方面において、本開示の一部の実施例は、ユーザ端末をさらに提供する。当該ユーザ端末は、基地局から送信された状態設定情報を受信するための受信モジュールと、前記状態設定情報に基づいて、前記セカンダリセルの初期状態及び前記セカンダリセルに関連する帯域幅部分ＢＷＰの初期状態を、活性状態と非活性状態の間の状態である新規状態に設定するか否かを決定するための第１決定モジュールとを含む。前記基地局から前記ユーザ端末に対して設定する前記セカンダリセルの数は、少なくとも１つである。
【００１０】
第４方面において、本開示の一部の実施例は、基地局をさらに提供する。当該基地局は、状態設定情報をユーザ端末に送信するための送信モジュールを含む。前記状態設定情報は、前記セカンダリセルの初期状態及び前記セカンダリセルに関連する帯域幅部分ＢＷＰの初期状態を、活性状態と非活性状態の間の状態である新規状態に設定するか否かを、前記ユーザ端末が決定することに用いられる。前記基地局から前記ユーザ端末に対して設定する前記セカンダリセルの数は、少なくとも１つである。
【００１１】
第５方面において、本開示の一部の実施例は、プロセッサと、メモリと、前記メモリに記憶され、前記プロセッサで動作するコンピュータプログラムとを含むユーザ端末をさらに提供する。前記コンピュータプログラムが前記プロセッサによって実行されると、前記プロセッサは、上記状態処理方法のステップを実現する。
【００１２】
第６方面において、本開示の一部の実施例は、プロセッサと、メモリと、前記メモリに記憶され、前記プロセッサで動作するコンピュータプログラムとを含む基地局をさらに提供する。前記コンピュータプログラムが前記プロセッサによって実行されると、前記プロセッサは、上記状態処理方法のステップを実現する。
【００１３】
第７方面において、本開示の一部の実施例は、コンピュータプログラムが記憶されているコンピュータ読み取り可能な記憶媒体をさらに提供する。前記コンピュータプログラムがプロセッサによって実行されると、前記プロセッサは、上記状態処理方法のステップを実現する。
【発明の効果】
【００１４】
このように、本開示の一部の実施例において、セカンダリセルの初期状態及びセカンダリセルに関連するＢＷＰの初期状態を設定情報で設定することによって、新規状態の設定を実現する。よって、新規状態の導入による設定問題を解決し、セカンダリセル及びＢＷＰの迅速な活性化／非活性化をサポートする。
【００１５】
本開示の一部の実施例の技術手段をより明確に説明するために、本開示の一部の実施例の説明に必要な図面を簡単に説明する。以下の説明における図面は、本開示の一部の実施例にすぎない。当業者にとって、創造性のある作業をすることなく、これらの図面から他の図面も得られることは、明らかである。
【図面の簡単な説明】
【００１６】
【図１】本開示の一部の実施例の応用可能なネットワーク構造図である。
【図２】本開示の一部の実施例における状態処理方法のフローチャートその１である。
【図３】本開示の一部の実施例における状態処理方法のフローチャートその２である。
【図４】本開示の一部の実施例におけるユーザ端末の構造図その１である。
【図５】本開示の一部の実施例における基地局の構造図その１である。
【図６】本開示の一部の実施例におけるユーザ端末の構造図その２である。
【図７】本開示の一部の実施例における基地局の構造図その２である。
【発明を実施するための形態】
【００１７】
以下、本開示の一部の実施例の図面を参照しながら、本開示の一部の実施例の技術手段を明確且つ完全的に記載する。明らかに、記載する実施例は、本開示の実施例の一部であり、全てではない。本開示の実施例に基づき、当業者が創造性のある作業をすることなく為しえる全てのほかの実施例は、いずれも本開示の保護範囲に属するものである。
【００１８】
図１を参照する。図１は、本開示の一部の実施例の応用可能なネットワーク構造図である。図１に示すように、ユーザ端末（Ｕｓｅｒ  Ｅｑｕｉｐｍｅｎｔ：ＵＥ）１１と基地局１２が含まれる。ここで、ユーザ端末１１は、携帯電話、タブレットパソコン（Ｔａｂｌｅｔ  Ｐｅｒｓｏｎａｌ  Ｃｏｍｐｕｔｅｒ）、ラップトップ型パソコン（Ｌａｐｔｏｐ  Ｃｏｍｐｕｔｅｒ）、ＰＤＡ（Ｐｅｒｓｏｎａｌ  Ｄｉｇｉｔａｌ  Ａｓｓｉｓｔａｎｔ）、ＭＩＤ（Ｍｏｂｉｌｅ  Ｉｎｔｅｒｎｅｔ  Ｄｅｖｉｃｅ）又はウェアラブルデバイス（Ｗｅａｒａｂｌｅ  Ｄｅｖｉｃｅ）などの端末側機器である。なお、本開示の一部の実施例において、ユーザ端末１１の具体的な種類を限定しない。上記基地局１２は、マクロ基地局、ＬＴＥ  ｅＮＢ、５Ｇ  ＮＲ  ＮＢなどである。基地局１２は、ＬＰＮ（ｌｏｗ  ｐｏｗｅｒ  ｎｏｄｅ）、ｐｉｃｏ、ｆｅｍｔｏなどのスモール基地局、又はＡＰ（ａｃｃｅｓｓ  ｐｏｉｎｔ）であってもよい。基地局は、ＣＵ（ｃｅｎｔｒａｌ  ｕｎｉｔ）及びその管理／制御下の複数のＴＲＰ（Ｔｒａｎｓｍｉｓｓｉｏｎ  Ｒｅｃｅｐｔｉｏｎ  Ｐｏｉｎｔ）からなるネットワークノードであってもよい。なお、本開示の一部の実施例において、基地局１２の具体的な種類を限定しない。
【００１９】
図２を参照する。図２は、本開示の一部の実施例における状態処理方法のフローチャートである。図２に示すように、以下のステップ２０１〜２０２を含む。
【００２０】
ステップ２０１において、基地局から送信された状態設定情報を受信する。
【００２１】
本開示の一部の実施例における状態処理方法は、主にユーザ端末に応用し、セカンダリセルに対し状態制御を行うことに用いられ、具体的に、ユーザ端末のセカンダリセル及びセカンダリセルに関連するＢＷＰの状態を制御することに用いられる。
【００２２】
当該ステップでは、基地局は、ＲＲＣ接続再設定メッセージを通じて前記状態設定情報を送信する。例えば、基地局は、ＲＲＣ専用シグナリングを通じてＲＲＣ接続再設定メッセージを送信する。一部の実施例では、前記基地局から前記ユーザ端末に対し設定する前記セカンダリセルの数は、少なくとも１つである。上記状態設定情報は、ソース基地局がユーザ端末に対し設定する状態設定情報であってもよいし、ターゲット基地局がユーザ端末に対し設定する状態設定情報であってもよい。例えば、１つの実施形態では、ソース基地局は、ユーザ端末に対しプライマリセル及びセカンダリセルを設定し、状態設定情報によって各セカンダリセルに対し初期状態を設定するとともに、各セカンダリセルに関連するＢＷＰに対し初期状態を設定する。この状態は、活性状態、非活性状態又は新規状態を含む。別の実施形態では、ユーザ端末は、基地局のハンドオーバを行う。ハンドオーバプロセスでは、ハンドオーバ先のターゲット基地局によってユーザ端末に対し状態設定情報を設定し、ターゲット基地局によって、状態設定情報が付帯されたハンドオーバコマンドをユーザ端末のソース基地局に送信する。ソース基地局は、このハンドオーバコマンドを受信すると、このハンドオーバコマンドをユーザ端末に転送し、状態設定情報の送信を完了する。ここで、状態設定情報として、ターゲット基地局がユーザ端末に対して設定した情報である場合、この状態設定情報は、ハンドオーバ後の各セカンダリセルに対して初期状態を設定するとともに、ハンドオーバ後の各セカンダリセルに関連するＢＷＰに対して初期状態を設定することに用いられる。すなわち、一部の実施例では、上記ステップ２０１は、ソース基地局から前記ユーザ端末に対し設定した前記状態設定情報を受信すること、又は、ハンドオーバ先のターゲット基地局から前記ユーザ端末に対し設定した状態設定情報を受信することを含む。ここで、前記ターゲット基地局は、ターゲット基地局から前記ユーザ端末に対し設定した状態設定情報が含まれるハンドオーバコマンドをソース基地局に送信し、ソース基地局は、ハンドオーバコマンドを前記ユーザ端末に転送する。
【００２３】
ステップ２０２において、前記状態設定情報に基づいて、前記セカンダリセルの初期状態及び前記セカンダリセルに関連するＢＷＰの初期状態を、活性状態と非活性状態の間の状態である新規状態に設定するか否かを決定する。
【００２４】
このステップでは、状態設定情報に基づいて、セカンダリセルの初期状態及び前記セカンダリセルに関連するＢＷＰの初期状態を設定することができる。なお、上記セカンダリセルの初期状態及び前記セカンダリセルに関連するＢＷＰの初期状態として新規状態に設定される数は、実際の必要に応じて設定されてもよいが、ここでは、更に限定しない。ここで、各セカンダリセルの初期状態は、活性状態、非活性状態及び新規状態のうちのいずれか１つの状態に設定され、各セカンダリセルに関連するＢＷＰの状態も同様に、活性状態、非活性状態及び新規状態のいずれか１つに設定される。なお、セカンダリセルとＢＷＰとは関連付けられているため、対応する初期状態も互いに関連付けられる。例えば、１つのセカンダリセルの初期状態として非活性状態に設定されることに対応し、このセカンダリセルに関連付けられた全てのＢＷＰは、非活性状態に設定されると理解されるべきである。一方、１つのセカンダリセルの初期状態として活性状態に設定されることに対応し、このセカンダリセルに関連する全てのＢＷＰのうち少なくとも１つのＢＷＰは、活性状態に設定されると理解されるべきである。具体的な設定規則は、実際の必要に応じて設定されればよいが、ここではこれ以上限定的に説明しない。
【００２５】
このように、本開示の一部の実施例において、セカンダリセルの初期状態及びセカンダリセルに関連するＢＷＰの初期状態を設定情報で設定することによって、新規状態の設定を実現する。よって、新規状態の導入による設定問題を解決し、セカンダリセル及びＢＷＰの迅速な活性化／非活性化をサポートする。
【００２６】
具体的には、セカンダリセルの数は、１つ又は複数である（Ｎ（Ｎ＞１）とする）。状態設定情報に基づき、すべてのセカンダリセルのうちの０、１、複数（Ｎ未満）又は全て（Ｎに等しい）のセカンダリセルの初期状態は、新規状態又は活性状態又は非活性状態に設定される。このとき、上記状態設定情報によって前記セカンダリセルに対して設定する初期状態は、以下のいずれか１つを含む：
全てのセカンダリセルは、新規状態である；
一部のセカンダリセルは、新規状態であり、一部のセカンダリセルは、活性状態である；
一部のセカンダリセルは、新規状態であり、一部のセカンダリセルは、非活性状態である；
一部のセカンダリセルは、新規状態であり、一部のセカンダリセルは、活性状態であり、一部のセカンダリセルは、非活性状態である；
全てのセカンダリセルは、活性状態である；
全てのセカンダリセルは、非活性状態である；
一部のセカンダリセルは、活性状態であり、一部のセカンダリセルは、非活性状態である。
【００２７】
一部の実施例では、セカンダリセルの数が１０であると仮定すると、上記方式によって、全てのセカンダリセルの初期状態は、以下の７つのケースのうちのいずれか１つに設定される：
ケース１：１０個のセカンダリセルは、全て新規状態である；
ケース２：Ａ個のセカンダリセルは、新規状態であり、Ｂ個のセカンダリセルは、活性状態であり、ここでＡ及びＢは、共に正の整数でありかつＡ＋Ｂ＝１０である；
ケース３：Ａ個のセカンダリセルは、新規状態であり、Ｂ個のセカンダリセルは、非活性状態であり、ここでＡ及びＢは、共に正の整数でありかつＡ＋Ｂ＝１０である；
ケース４：Ａ個のセカンダリセルは、新規状態であり、Ｂ個のセカンダリセルは、活性状態であり、Ｃ個のセカンダリセルは、非活性状態であり、ここで、Ａ、Ｂ及びＣは、共に正の整数でありかつＡ＋Ｂ＋Ｃ＝１０である；
ケース５：１０個のセカンダリセルは、全て活性状態である；
ケース６：１０個のセカンダリセルは、全て非活性状態である；
ケース７：Ａ個のセカンダリセルは、活性状態であり、Ｂ個のセカンダリセルは、非活性状態であり、ここでＡ及びＢは、共に正の整数でありかつＡ＋Ｂ＝１０である。
【００２８】
具体的には、あるセカンダリセルに関連するＢＷＰの数は、１つ又は複数である（Ｎ（Ｎ＞１）とする）。状態設定情報に基づき、このセカンダリセル内の０、１、複数（Ｎ未満）又は全て（Ｎに等しい）のＢＷＰの初期状態は、新規状態又は活性状態又は非活性状態に設定される。このとき、上記状態設定情報によって、前記セカンダリセルに関連するＢＷＰに対して設定する初期状態は、以下のいずれか１つを含む：
ＢＷＰは、すべて新規状態である；
一部のＢＷＰは、新規状態であり、一部のＢＷＰは、活性状態である；
一部のＢＷＰは、新規状態であり、一部のＢＷＰは、非活性状態である；
一部のＢＷＰは、新規状態であり、一部のＢＷＰは、活性状態であり、一部のＢＷＰは、非活性状態である；
ＢＷＰは、全て活性状態である；
ＢＷＰは、全て非活性状態である；
一部のＢＷＰは、活性状態であり、一部のＢＷＰは、非活性状態である。
【００２９】
一部の実施例では、１つのセカンダリセルに関連するＢＷＰの数が１０であると仮定すると、上記方式により、全てのＢＷＰの初期状態は、以下の７つのケースのいずれか１つに設定される：
ケース１：１０個のＢＷＰは、全て新規状態である；
ケース２：Ａ個のＢＷＰは、新規状態であり、Ｂ個のＢＷＰは、活性状態であり、ここでＡ及びＢは、ともに正の整数でありかつＡ＋Ｂ＝１０である；
ケース３：Ａ個のＢＷＰは、新規状態であり、Ｂ個のＢＷＰは、非活性状態であり、ここでＡ及びＢは、ともに正の整数でありかつＡ＋Ｂ＝１０である；
ケース４：Ａ個のＢＷＰは、新規状態であり、Ｂ個のＢＷＰは、活性状態であり、Ｃ個のＢＷＰは、非活性状態であり、ここでＡ、Ｂ及びＣは、共に正の整数でありかつＡ＋Ｂ＋Ｃ＝１０である；
ケース５：１０個のＢＷＰは、全て活性状態である；
ケース６：１０個のＢＷＰは、全て非活性状態である；
ケース７：Ａ個のＢＷＰは、活性状態であり、Ｂ個のセカンダリセルは、非活性状態であり、ここでＡ及びＢは、共に正の整数でありかつＡ＋Ｂ＝１０である。
【００３０】
なお、本開示の一部の実施例では、上記セカンダリセルの初期状態及び前記セカンダリセルに関連するＢＷＰの初期状態のケースの分布に基づいて、上記状態設定情報は、前記セカンダリセルの全て又は一部の初期状態が前記新規状態であることを指示し、前記セカンダリセルに関連する全て又は一部のＢＷＰの初期状態が前記新規状態であることを指示するための第１設定情報を含む。
【００３１】
さらに、新規状態タイマによるセカンダリセル状態スイッチングメカニズムを導入してもよい。
【００３２】
具体的には、一部の実施例では、上記状態設定情報は、前記セカンダリセルの新規状態タイマのタイミング時間を指示するための第２設定情報をさらに含む。当該方法において、前記第２設定情報に従って、前記セカンダリセルの新規状態タイマのタイミング時間を設定するステップ２０３と、前記セカンダリセルが新規状態に入ると、前記セカンダリセルの新規状態タイマを起動するステップ２０４と、新規状態タイマがタイムアウトすると、前記セカンダリセルを非活性状態にハンドオーバするステップ２０５とをさらに含む。
【００３３】
一部の実施例では、ソース基地局は、ＲＲＣ専用シグナリングを通じてＲＲＣ接続再設定メッセージの形態で上記状態設定情報を送信して、ユーザ端末に新規状態タイマｓＣｅｌｌＤｅｃｔｉｖａｔｉｏｎＴｉｍｅｒ＿ＮＥＷの値（すなわち、上記タイミング時間）を設定する。ユーザ端末は、セカンダリセル毎に新規状態タイマを１つ保守する。ここで、各セカンダリセルに対応する新規状態タイマのタイミング時間は、同じであってもよく、異なってもよい（セカンダリセルに対応するタイミング時間が異なると設定した場合、上記状態設定情報は、異なるセカンダリセルに対応するタイミング時間を指示する）が、ここではさらに限定しない。セカンダリセルが新規状態に入ると、ユーザ端末は、対応する新規状態タイマを起動又は再起動する。新規状態タイマの動作中、基地局からＭＡＣ（Ｍｅｄｉａ  Ａｃｃｅｓｓ  Ｃｏｎｔｒｏｌ：メディアアクセス制御）  ＣＥ（Ｃｏｎｔｒｏｌ  Ｅｌｅｍｅｎｔ：制御エレメント）ＭＡＣ  ＣＥを通じて対応するセカンダリセルに対する、新規状態から非活性状態へのスイッチング、又は新規状態から活性状態へのスイッチング、又は新規状態から離れるとの指示がユーザ端末に受信されると、対応するセカンダリセルの新規状態タイマを停止する。新規状態タイマがタイムアウトすると、対応するセカンダリセルを非活性状態にハンドオーバする。具体的には、基地局は、ＭＡＣ  ＣＥを通じて、セカンダリセル又はセカンダリセルに関連するＢＷＰの状態をスイッチングする。
【００３４】
なお、ユーザ端末がハンドオーバコマンドを受信すると、ターゲット基地局にハンドオーバした後、既に起動しておりかつタイムアウトしていない新規状態タイマを管理する必要がある。具体的には、一部の実施例では、前記ユーザ端末がアクセスする基地局が前記ターゲット基地局にハンドオーバした後に、前記方法において、前記セカンダリセルの新規状態タイマが起動しかつタイムアウトでない場合、第１方式で前記新規状態タイマを処理することをさらに含む。前記第１方式は、前記新規状態タイマの動作が継続するように制御することと、前記新規状態タイマの動作が停止するように制御することと、前記新規状態タイマが再起動するように制御することとのいずれか１つを含む。
【００３５】
同時に、既に起動しておりかつタイムアウトしていない非活性タイマを管理する必要がある。具体的には、一部の実施例において、前記ユーザ端末がアクセスする基地局が前記ターゲット基地局にハンドオーバした後、前記方法は、前記セカンダリセルの非活性タイマが起動しかつタイムアウトでない場合、第２方式で前記非活性タイマを処理することをさらに含む。前記第２方式は、前記非活性タイマの動作が継続するように制御することと、前記非活性タイマの動作が停止するように制御することと、前記非活性タイマが再起動するように制御することとのいずれか１つを含む。
【００３６】
さらに、本開示の一部の実施例において、ＢＷＰスイッチング（ｓｗｉｔｃｈｉｎｇ）によるセカンダリセル状態スイッチングメカニズムも導入できる。具体的には、上記ステップ１０２の後に、当該方法は、前記ユーザ端末によるＢＷＰスイッチングの後に、ＢＷＰスイッチングの実行に対応するセカンダリセルであるターゲットセカンダリセルの状態を、所定規則に従って決定することをさらに含む。前記所定規則は、前記ターゲットセカンダリセルに関連するＭ（Ｍ≧１）個のＢＷＰのうち少なくともＪ（Ｍ≧Ｊ≧１）個のＢＷＰが新規状態であれば、前記ターゲットセカンダリセルを新規状態と決定すること、前記ターゲットセカンダリセルに関連するＭ個のＢＷＰのうち最大でＫ（Ｋ＝Ｊ−１）個までのＢＷＰが新規状態であり、かつ少なくとも１つのＢＷＰが活性状態であれば、前記ターゲットセカンダリセルを活性状態と決定すること、前記ターゲットセカンダリセルに関連するすべてのＢＷＰが非活性状態であれば、前記ターゲットセカンダリセルを非活性状態と決定することを含む。
【００３７】
一部の実施例では、ターゲットセカンダリセルに関連するＭ個のＢＷＰのうち、各ＢＷＰの状態は、非活性状態、活性状態又は新規状態である。Ｊの異なる値に対して、ターゲットセカンダリセルが新規状態又は活性状態に決定されるケースは異なる。例えば、ＢＷＰスイッチングを行った後、新規状態に決定されたターゲットセカンダリセルは、以下のいずれか１つのケースを含む：
ケース１：全てのＢＷＰは、新しい状態である；
ケース２：一部のＢＷＰは、新規状態であり、一部のＢＷＰは、活性状態である；
ケース３：一部のＢＷＰは、新規状態であり、一部のＢＷＰは、非活性状態である；
ケース４：一部のＢＷＰは、新規状態であり、一部のＢＷＰは、活性状態であり、一部のＢＷＰは、非活性状態である。
【００３８】
上記のいずれのケースも、ターゲットセカンダリセルに関連するすべてのＢＷＰの状態が含まれるべきである。例えば、ケース２において、「一部のＢＷＰは、新規状態であり、一部のＢＷＰは、活性状態である」こととは、ターゲットセカンダリセルに関連する全てのＢＷＰが、それらの状態に応じて、２つの部分に分けられ、その一部のＢＷＰが新規状態であり、ほかの一部のＢＷＰが活性状態であることを示す。
【００３９】
ケース３において、「一部のＢＷＰは、新規状態であり、一部のＢＷＰは、非活性状態である」こととは、ターゲットセカンダリセルに関連する全てのＢＷＰが、それらの状態に応じて、２つの部分に分けられ、その一部のＢＷＰが新規状態であり、他の一部のＢＷＰが非活性状態であることを示す。
【００４０】
ケース４において、「一部のＢＷＰは、新規状態であり、一部のＢＷＰは、活性状態であり、一部のＢＷＰは、非活性状態である」こととは、ターゲットセカンダリセルに関連する全てのＢＷＰが、それらの状態に応じて３つの部分に分けられ、その一部のＢＷＰが新規状態であり、一部のＢＷＰが活性状態であり、ほかの一部のＢＷＰが非活性状態であることを示す。
【００４１】
同時に、ＢＷＰスイッチングの実行後に活性状態に決定されるターゲットセカンダリセルは、以下のいずれか１つのケースを含む：
ケース５：一部のＢＷＰは、新規状態であり、一部のＢＷＰは、活性状態である；
ケース６：一部のＢＷＰは、新規状態であり、一部のＢＷＰは、活性状態であり、一部のＢＷＰは、非活性状態である；
ケース７：ＢＷＰは、全て活性状態である；
ケース８：一部のＢＷＰは、活性状態であり、一部のＢＷＰは、非活性状態である。
【００４２】
一部の実施例では、上記の各ケースにおいて、ターゲットセカンダリセルに関連するすべてのＢＷＰの状態が含まれるべきである。例えば、ケース５において、「一部のＢＷＰは、新規状態であり、一部のＢＷＰは、活性状態である」こととは、ターゲットセカンダリセルに関連する全てのＢＷＰが、それらの状態に応じて２つの部分に分けられ、その一部のＢＷＰが新規状態であり、他の一部のＢＷＰが活性状態であることを示す。
【００４３】
ケース６において、「一部のＢＷＰは、新規状態であり、一部のＢＷＰは、活性状態であり、一部のＢＷＰは、非活性状態である」こととは、ターゲットセカンダリセルに関連する全てのＢＷＰが、それらの状態に応じて３つの部分に分けられ、その一部のＢＷＰが新状態であり、一部のＢＷＰが活性状態であり、ほかの一部のＢＷＰが非活性状態であることを示す。
【００４４】
ケース８において、「一部のＢＷＰは、活性状態であり、一部のＢＷＰは、非活性状態である」こととは、ターゲットセカンダリセルに関連する全てのＢＷＰが、それらの状態に応じて２つの部分に分けられ、その一部のＢＷＰが活性状態であり、ほかの一部のＢＷＰが非活性状態であることを示す。
【００４５】
なお、本開示の一部の実施例において紹介される様々な代替的な実施形態は、互いに組み合わせて実現することも、個別に実現することも可能であるが、これに対し、本開示の一部の実施例は、限定されない。
【００４６】
さらに、図３を参照する。本開示の一部の実施例は、状態処理方法をさらに提供する。図３に示すように、当該状態処理方法は、状態設定情報をユーザ端末に送信するステップ３０１を含む。前記状態設定情報は、前記セカンダリセルの初期状態及び前記セカンダリセルに関連するＢＷＰの初期状態を、活性状態と非活性状態の間の状態である新規状態に設定するか否かを、前記ユーザ端末が決定することに用いられる。
【００４７】
本開示の一部の実施例における状態処理方法は、主に、ユーザ端末がアクセスするソース基地局である基地局に応用し、セカンダリセルに対し状態制御を行うことに用いられ、具体的には、ユーザ端末のセカンダリセル及びセカンダリセルに関連するＢＷＰの状態を制御することに用いられる。
【００４８】
このステップでは、基地局は、ＲＲＣ接続再設定メッセージを通じて前記状態設定情報を送信する。例えば、基地局は、ＲＲＣ専用シグナリングを通じてＲＲＣ接続再設定メッセージを送信する。一部の実施例では、前記基地局が前記ユーザ端末に対し設定する前記セカンダリセルの数は、少なくとも１つである。上記状態設定情報は、ソース基地局がユーザ端末に対し設定する状態設定情報であってもよいし、ターゲット基地局がユーザ端末に対し設定する状態設定情報であってもよい。例えば、１つの実施形態では、ソース基地局は、ユーザ端末に対しプライマリセル及びセカンダリセルを設定し、状態設定情報によって各セカンダリセルに対し初期状態を設定するとともに、各セカンダリセルに関連するＢＷＰに対し初期状態を設定する。この状態は、活性状態、非活性状態又は新規状態を含む。別の実施形態では、ユーザ端末は、基地局のハンドオーバを行う。ハンドオーバプロセスでは、ハンドオーバ先のターゲット基地局によってユーザ端末に対し状態設定情報を設定し、ターゲット基地局によって、状態設定情報が付帯されるハンドオーバコマンドをユーザ端末のソース基地局に送信する。ソース基地局は、このハンドオーバコマンドを受信すると、このハンドオーバコマンドをユーザ端末に転送し、状態設定情報の送信を完了する。ここで、状態設定情報として、ターゲット基地局がユーザ端末に対して設定した情報である場合、この状態設定情報は、ハンドオーバ後の各セカンダリセルに対して初期状態を設定するとともに、ハンドオーバ後の各セカンダリセルに関連するＢＷＰに対して初期状態を設定することに用いられる。すなわち、一部の実施例では、上記ステップ３０１は、前記基地局から前記ユーザ端末に対し設定した前記状態設定情報を前記ユーザ端末に送信すること、又は、ハンドオーバ先のターゲット基地局から前記ユーザ端末に対し設定した状態設定情報を前記ユーザ端末に送信することを含む。ここで、前記ターゲット基地局は、ターゲット基地局から前記ユーザ端末に対し設定した状態設定情報が含まれるハンドオーバコマンドを前記基地局に送信し、前記基地局は、ハンドオーバコマンドを前記ユーザ端末に転送する。
【００４９】
ユーザ端末は、状態設定情報に基づいて、セカンダリセルの初期状態及び前記セカンダリセルに関連するＢＷＰの初期状態を設定できる。なお、上記セカンダリセルの初期状態及び前記セカンダリセルに関連するＢＷＰの初期状態が新規状態に設定される数は、実際の必要に応じて設定されてもよいが、ここでは、更に限定しない。ここで、各セカンダリセルの初期状態は、活性状態、非活性状態及び新規状態のうちのいずれか１つの状態に設定され、各セカンダリセルに関連するＢＷＰの状態も同様に、活性状態、非活性状態及び新規状態のいずれか１つに設定されてもよい。なお、セカンダリセルとＢＷＰとは関連付けられているため、対応する初期状態も互いに関連付けられている。例えば、１つのセカンダリセルの初期状態が非活性状態に設定されることに対応し、このセカンダリセルに関連付けられた全てのＢＷＰは、非活性状態に設定されると理解されるべきである。一方、１つのセカンダリセルの初期状態が活性状態に設定されることに対応し、このセカンダリセルに関連する全てのＢＷＰのうち少なくとも１つのＢＷＰは、活性状態に設定されると理解されるべきである。具体的な設定規則は、実際の必要に応じて設定されればよいが、ここではこれ以上限定的に説明しない。
【００５０】
このように、本開示の一部の実施例において、セカンダリセルの初期状態及びセカンダリセルに関連するＢＷＰの初期状態を設定情報で設定することによって、新規状態の設定を実現する。よって、新規状態の導入による設定問題を解決し、セカンダリセル及びＢＷＰの迅速な活性化／非活性化をサポートする。
【００５１】
具体的には、セカンダリセルの数は、１つ又は複数である（Ｎ（Ｎ＞１）とする）。状態設定情報に基づいて、すべてのセカンダリセルのうちの０、１、複数（Ｎ未満）又は全て（Ｎに等しい）のセカンダリセルの初期状態は、新規状態又は活性状態又は非活性状態に設定される。このとき、上記状態設定情報によって前記セカンダリセルに対して設定する初期状態は、以下のいずれか１つを含む：
全てのセカンダリセルは、新規状態である；
一部のセカンダリセルは、新規状態であり、一部のセカンダリセルは、活性状態である；
一部のセカンダリセルは、新規状態であり、一部のセカンダリセルは、非活性状態である；
一部のセカンダリセルは、新規状態であり、一部のセカンダリセルは、活性状態であり、一部のセカンダリセルは、非活性状態である；
全てのセカンダリセルは、活性状態である；
全てのセカンダリセルは、非活性状態である；
一部のセカンダリセルは、活性状態であり、一部のセカンダリセルは、非活性状態である。
【００５２】
具体的には、あるセカンダリセルに関連するＢＷＰの数は、１つ又は複数である（Ｎ（Ｎ＞１）とする）。状態設定情報に基づいて、このセカンダリセル内の０、１、複数（Ｎ未満）又は全て（Ｎに等しい）のＢＷＰの初期状態は、新規状態又は活性状態又は非活性状態に設定される。このとき、上記状態設定情報によって、前記セカンダリセルに関連するＢＷＰに対し設定する初期状態は、以下のいずれか１つを含む：
ＢＷＰは、すべて新しい状態である；
一部のＢＷＰは、新規状態であり、一部のＢＷＰは、活性状態である；
一部のＢＷＰは、新規状態であり、一部のＢＷＰは、非活性状態である；
一部のＢＷＰは、新規状態であり、一部のＢＷＰは、活性状態であり、一部のＢＷＰは、非活性状態である；
ＢＷＰは、全て非活性状態である；
ＢＷＰは、全て活性状態である；
一部のＢＷＰは、活性状態であり、一部のＢＷＰは、非活性状態である。
【００５３】
なお、本開示の一部の実施例では、上記セカンダリセルの初期状態及び前記セカンダリセルに関連するＢＷＰの初期状態のケースの分布に基づいて、上記状態設定情報は、前記セカンダリセルの全て又は一部の初期状態が前記新規状態であることを指示し、前記セカンダリセルに関連する全て又は一部のＢＷＰの初期状態が前記新規状態であることを指示するための第１設定情報を含む。
【００５４】
さらに、新規状態タイマによるセカンダリセル状態スイッチングメカニズムを導入してもよい。
【００５５】
具体的には、一部の実施例では、前記状態設定情報は、前記セカンダリセルの新規状態タイマのタイミング時間を指示するための第２設定情報をさらに含む
【００５６】
一部の実施例において、ソース基地局は、ＲＲＣ専用シグナリングを通じてＲＲＣ接続再設定メッセージの形態で上記状態設定情報を送信して、ユーザ端末に新規状態タイマｓＣｅｌｌＤｅｃｔｉｖａｔｉｏｎＴｉｍｅｒ＿ＮＥＷの値（すなわち、上記タイミング時間）を設定する。ユーザ端末は、セカンダリセル毎に新規状態タイマを１つ保守する。ここで、各セカンダリセルに対応する新規状態タイマのタイミング時間は、同じであってもよく、異なってもよい（セカンダリセルに対応するタイミング時間が異なると設定された場合、上記状態設定情報は、異なるセカンダリセルに対応するタイミング時間を指示する）が、ここでは、さらに限定しない。セカンダリセルが新規状態に入ると、ユーザ端末は、対応する新規状態タイマを起動又は再起動する。新規状態タイマの動作中、基地局からＭＡＣ  ＣＥを通じて対応するセカンダリセルに対する、新規状態から非活性状態へのスイッチング、又は新規状態から活性状態へのスイッチング、又は新規状態から離れるとの指示がユーザ端末に受信されると、対応するセカンダリセルの新規状態タイマを停止する。新規状態タイマがタイムアウトすると、対応するセカンダリセルを非活性状態にハンドオーバする。具体的には、基地局は、ＭＡＣ  ＣＥを通じて、セカンダリセル又はセカンダリセルに関連するＢＷＰの状態をスイッチングする。
【００５７】
なお、本開示の一部の実施例において紹介される様々な代替的な実施形態は、互いに組み合わせて実現することも、個別に実現することも可能であるが、これに対し、本開示の一部の実施例は、限定されない。
【００５８】
さらに、図４を参照する。図４は、本開示の一部の実施例におけるユーザ端末の構造図である。図４に示すように、ユーザ端末は、基地局から送信された状態設定情報を受信するための受信モジュール４０１と、前記状態設定情報に基づいて、前記セカンダリセルの初期状態及び前記セカンダリセルに関連する帯域幅部分ＢＷＰの初期状態を、活性状態と非活性状態の間の状態である新規状態に設定するか否かを決定するための第１決定モジュール４０２とを含み、前記基地局から前記ユーザ端末に対して設定する前記セカンダリセルの数は、少なくとも１つである。
【００５９】
選択可能に、前記状態設定情報は、前記セカンダリセルの全て又は一部の初期状態が前記新規状態であることを指示し、前記セカンダリセルに関連する全て又は一部のＢＷＰの初期状態が前記新規状態であることを指示するための第１設定情報を含む。
【００６０】
選択可能に、前記状態設定情報は、前記セカンダリセルの新規状態タイマのタイミング時間を指示するための第２設定情報をさらに含む。前記ユーザ端末は、前記第２設定情報に従って、前記セカンダリセルの新規状態タイマのタイミング時間を設定するための設定モジュールと、前記セカンダリセルが新規状態に入ると、前記セカンダリセルの新規状態タイマを起動又は再起動するための起動モジュールと、基地局からＭＡＣ  ＣＥを通じて前記セカンダリセルに対する、新規状態から非活性状態へのスイッチング、又は新規状態から活性状態へのスイッチング、又は新規状態から離れるとの指示がユーザ端末に受信されると、前記セカンダリセルの新規状態タイマを停止し、新規状態タイマがタイムアウトすると、前記セカンダリセルを非活性状態にハンドオーバするための第１制御モジュールとをさらに含む。
【００６１】
選択可能に、前記基地局は、ＲＲＣ接続再設定メッセージを通じて前記状態設定情報を送信する。
【００６２】
選択可能に、前記受信モジュール４０１は、具体的に、ソース基地局から前記ユーザ端末に対し設定した前記状態設定情報を受信すること、又は、ハンドオーバ先のターゲット基地局から前記ユーザ端末に対し設定した状態設定情報を受信することに用いられる。ここで、前記ターゲット基地局は、ターゲット基地局から前記ユーザ端末に対し設定した状態設定情報が含まれるハンドオーバコマンドをソース基地局に送信する。ソース基地局は、ハンドオーバコマンドを前記ユーザ端末に転送する。
【００６３】
選択可能に、前記ユーザ端末は、前記ユーザ端末がアクセスする基地局が前記ターゲット基地局にハンドオーバした後に、前記セカンダリセルの新規状態タイマが起動しかつタイムアウトでない場合、第１方式で前記新規状態タイマを処理するための第１処理モジュールをさらに含む。前記第１方式は、前記新規状態タイマの動作が継続するように制御することと、前記新規状態タイマの動作が停止するように制御することと、前記新規状態タイマが再起動するように制御することとのいずれか一つを含む。
【００６４】
選択可能に、前記ユーザ端末は、前記ユーザ端末がアクセスする基地局が前記ターゲット基地局にハンドオーバした後に、前記セカンダリセルの非活性タイマが起動しかつタイムアウトでない場合、第２方式で前記非活性タイマを処理するための第２処理モジュールをさらに含む。前記第２方式は、前記非活性タイマの動作が継続するように制御することと、前記非活性タイマの動作が停止するように制御することと、前記非活性タイマが再起動するように制御することとのいずれか一つを含む。
【００６５】
選択可能に、前記ユーザ端末は、前記ユーザ端末によるＢＷＰスイッチングの後に、ＢＷＰスイッチングの実行に対応するセカンダリセルであるターゲットセカンダリセルの状態を、所定規則に従って決定するための第２決定モジュールをさらに含む。前記所定規則は、前記ターゲットセカンダリセルに関連するＭ（Ｍ≧１）個のＢＷＰのうち少なくともＪ（Ｍ≧Ｊ≧１）個のＢＷＰが新規状態であれば、前記ターゲットセカンダリセルを新規状態と決定すること、前記ターゲットセカンダリセルに関連するＭ個のＢＷＰのうち最大でＫ（Ｋ＝Ｊ−１）個までのＢＷＰが新規状態であり、かつ少なくとも１つのＢＷＰが活性状態であれば、前記ターゲットセカンダリセルを活性状態と決定すること、前記ターゲットセカンダリセルに関連するすべてのＢＷＰが非活性状態であれば、前記ターゲットセカンダリセルを非活性状態と決定することを含む。
【００６６】
本開示の一部の実施例におけるユーザ端末は、図２の実施例の方法でユーザ端末によって実現される各プロセスを実現可能であるので、重複を避けるために、ここでは繰り返して説明しない。
【００６７】
さらに、図５を参照する。図５は、本開示の一部の実施例における基地局の構造図である。図５に示すように、基地局は、状態設定情報をユーザ端末に送信するための送信モジュール５０１を含む。前記状態設定情報は、前記セカンダリセルの初期状態及び前記セカンダリセルに関連する帯域幅部分ＢＷＰの初期状態を、活性状態と非活性状態の間の状態である新規状態に設定するか否かを、前記ユーザ端末が決定することに用いられる。前記基地局から前記ユーザ端末に対して設定する前記セカンダリセルの数は、少なくとも１つである。
【００６８】
選択可能に、前記状態設定情報は、前記セカンダリセルの全て又は一部の初期状態が前記新規状態であることを指示し、前記セカンダリセルに関連する全て又は一部のＢＷＰの初期状態が前記新規状態であることを指示するための第１設定情報を含む。
【００６９】
選択可能に、前記状態設定情報は、前記セカンダリセルの新規状態タイマのタイミング時間を指示するための第２設定情報をさらに含む。
【００７０】
選択可能に、前記送信モジュール５０１は、具体的に、前記基地局から前記ユーザ端末に対し設定した前記状態設定情報を前記ユーザ端末に送信すること、又は、ハンドオーバ先のターゲット基地局から前記ユーザ端末に対し設定した状態設定情報を前記ユーザ端末に送信することに用いられる。ここで、前記ターゲット基地局は、ターゲット基地局から前記ユーザ端末に対し設定した状態設定情報が含まれるハンドオーバコマンドを前記基地局に送信する。前記基地局は、前記送信モジュールによってハンドオーバコマンドを前記ユーザ端末に転送する。
【００７１】
本開示の一部の実施例における基地局は、図３の実施例の方法で基地局によって実現される各プロセスを実現可能であるので、重複を避けるために、ここでは繰り返して説明しない。
【００７２】
図６は、本開示の各実施例を実現するユーザ端末のハードウェア構造図である。
【００７３】
当該ユーザ端末６００は、ラジオ周波数ユニット６０１と、ネットワークモジュール６０２と、音声出力ユニット６０３と、入力ユニット６０４と、センサ６０５と、表示ユニット６０６と、ユーザ入力ユニット６０７と、インタフェースユニット６０８と、メモリ６０９と、プロセッサ６１０と、電源６１１などの設定要素を含むが、これらに限定されない。図６に示されるユーザ端末の構造は、ユーザ端末を限定するものではなく、ユーザ端末は、図示されるよりも多い又は少ない設定要素を含むことができ、又は特定の設定要素を組み合わせることができ、又は異なる設定要素の設定を含むことができることを、当業者は理解可能である。本開示の一部の実施例において、ユーザ端末は、携帯電話、タブレットパソコン、ノートパソコン、パームトップパソコン、車載端末、ウェアラブルデバイス及び歩数計などを含むが、それらに限定されない。
【００７４】
ここで、ラジオ周波数ユニット６０１は、基地局から送信された状態設定情報を受信する。プロセッサ６１０は、前記状態設定情報に基づいて、前記セカンダリセルの初期状態及び前記セカンダリセルに関連する帯域幅部分ＢＷＰの初期状態を、活性状態と非活性状態の間の状態である新規状態に設定するか否かを決定する。前記基地局からユーザ端末に対して設定する前記セカンダリセルの数は、少なくとも１つである。
【００７５】
選択可能に、前記状態設定情報は、前記セカンダリセルの全て又は一部の初期状態が前記新規状態であることを指示し、前記セカンダリセルに関連する全て又は一部のＢＷＰの初期状態が前記新規状態であることを指示するための第１設定情報を含む。
【００７６】
選択可能に、前記状態設定情報は、前記セカンダリセルの新規状態タイマのタイミング時間を指示するための第２設定情報をさらに含む。プロセッサ６１０は、さらに、前記第２設定情報に従って、前記セカンダリセルの新規状態タイマのタイミング時間を設定する。プロセッサ６１０は、さらに、前記セカンダリセルが新規状態に入ると、前記セカンダリセルの新規状態タイマを起動又は再起動する。プロセッサ６１０は、さらに、基地局からＭＡＣ  ＣＥを通じて前記セカンダリセルに対する、新規状態から非活性状態へのスイッチング、又は新規状態から活性状態へのスイッチング、又は新規状態から離れるとの指示がユーザ端末に受信されると、前記セカンダリセルの新規状態タイマを停止し、前記セカンダリセルの新規状態タイマがタイムアウトすると、前記セカンダリセルを非活性状態にハンドオーバする。
【００７７】
選択可能に、基地局は、ＲＲＣ接続再設定メッセージを通じて前記状態設定情報を送信する。
【００７８】
選択可能に、ラジオ周波数ユニット６０１は、具体的に、ソース基地局から前記ユーザ端末に対し設定した前記状態設定情報を受信し、又は、ハンドオーバ先のターゲット基地局から前記ユーザ端末に対し設定した状態設定情報を受信する。ここで、前記ターゲット基地局は、ターゲット基地局から前記ユーザ端末に対し設定した状態設定情報が含まれるハンドオーバコマンドをソース基地局に送信する。ソース基地局は、ハンドオーバコマンドを前記ユーザ端末に転送する。
【００７９】
選択可能に、プロセッサ６１０は、さらに、前記ユーザ端末がアクセスする基地局が前記ターゲット基地局にハンドオーバした後に、前記セカンダリセルの新規状態タイマが起動しかつタイムアウトでない場合、第１方式で前記新規状態タイマを処理する。前記第１方式は、前記新規状態タイマの動作が継続するように制御することと、前記新規状態タイマの動作が停止するように制御することと、前記新規状態タイマが再起動するように制御することとのいずれか一つを含む。
【００８０】
選択可能に、プロセッサ６１０は、さらに、前記ユーザ端末がアクセスする基地局が前記ターゲット基地局にハンドオーバした後に、前記セカンダリセルの非活性タイマが起動しかつタイムアウトでない場合、第２方式で前記非活性タイマを処理する。前記第２方式は、前記非活性タイマの動作が継続するように制御することと、前記非活性タイマの動作が停止するように制御することと、前記非活性タイマが再起動するように制御することとのいずれか一つを含む。
【００８１】
選択可能に、プロセッサ６１０は、さらに、前記ユーザ端末によるＢＷＰスイッチングの後に、ＢＷＰスイッチングの実行に対応するセカンダリセルであるターゲットセカンダリセルの状態を、所定規則に従って決定する。前記所定規則は、前記ターゲットセカンダリセルに関連するＭ（Ｍ≧１）個のＢＷＰのうち少なくともＪ（Ｍ≧Ｊ≧１）個のＢＷＰが新規状態であれば、前記ターゲットセカンダリセルを新規状態と決定すること、前記ターゲットセカンダリセルに関連するＭ個のＢＷＰのうち最大でＫ（Ｋ＝Ｊ−１）個までのＢＷＰが新規状態であり、かつ少なくとも１つのＢＷＰが活性状態であれば、前記ターゲットセカンダリセルを活性状態と決定すること、前記ターゲットセカンダリセルに関連するすべてのＢＷＰが非活性状態であれば、前記ターゲットセカンダリセルを非活性状態と決定することを含む。
【００８２】
このように、本開示の一部の実施例において、セカンダリセルの初期状態及びセカンダリセルに関連するＢＷＰの初期状態を設定情報で設定することによって、新規状態の設定を実現する。よって、新規状態の導入による設定問題を解決し、セカンダリセル及びＢＷＰの迅速な活性化／非活性化をサポートする。
【００８３】
なお、本開示の一部の実施例において、ラジオ周波数ユニット６０１は、情報の送受信又は通話中で信号の送受信に用いられ、具体的に、基地局からのダウンリンクデータを受信した後、プロセッサ６１０による処理に供し、また、アップリンクデータを基地局に送信する。一般に、ラジオ周波数ユニット６０１は、アンテナ、少なくとも１つの増幅器、トランシーバ、結合器、低雑音増幅器、デュプレクサなどを含むが、それらに限定されない。また、ラジオ周波数ユニット６０１は、無線通信システムを介してネットワークや他の機器と通信を行うこともできる。
【００８４】
ユーザ端末は、ネットワークモジュール６０２を介して、電子メールの送受信、ウェブページの閲覧、ストリーミングメディアへのアクセスを支援するなど、無線ブロードバンドインターネットアクセスをユーザに提供する。
【００８５】
音声出力ユニット６０３は、ラジオ周波数ユニット６０１やネットワークモジュール６０２が受信した音声データや、メモリ６０９に記憶された音声データを音声信号に変換して音声として出力することができる。また、音声出力ユニット６０３は、ユーザ端末６００が実行する特定の機能に関する音声（例えば、呼出信号着信音、メッセージ着信音等）を出力してもよい。音声出力ユニット６０３は、スピーカ、ブザー及びレシーバなどを含む。
【００８６】
入力ユニット６０４は、音声や映像の信号を受信することに用いられる。入力ユニット６０４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）６０４１と、マイク６０４２とを含み得る。処理された画像フレームは、表示ユニット６０６に表示され得る。グラフィックスプロセッサ６０４１で処理された画像フレームは、メモリ６０９（又は他の記憶媒体）に記憶されるか、又はラジオ周波数ユニット６０１又はネットワークモジュール６０２を介して送信され得る。マイク６０４２は、音声を受信し、音声データに加工することができる。処理された音声データは、電話通話モードの場合、ラジオ周波数ユニット６０１を介して移動通信基地局に送信可能な形式に変換して出力することができる。
【００８７】
ユーザ端末６００は、光センサ、モーションセンサ及び他のセンサのような少なくとも１つのセンサ６０５を更に含む。具体的には、光センサは、周辺光センサ及び近接センサを含む。周辺光センサは、周辺光の明暗に応じて表示パネル６０６１の輝度を調節し、近接センサは、端末６００が耳に移動したときに表示パネル６０６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（たとえば、歩数計、ストローク）などに用いることができる。センサ６０５は、指紋センサ、圧力センサ、虹彩センサ、分子センサ、ジャイロスコープ、気圧計、湿度計、温度計、赤外線センサなどをさらに含むことができるが、ここでは枚挙しない。
【００８８】
表示ユニット６０６は、ユーザが入力した情報やユーザに提供した情報を表示するために用いられる。表示ユニット６０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル６０６１を含んでもよい。
【００８９】
ユーザ入力ユニット６０７は、数字や文字情報の入力を受け付け、ユーザによる端末の設定や機能制御に関するキー信号の入力を行うことに用いられる。具体的に、ユーザ入力ユニット６０７は、タッチパネル６０７１と、その他の入力装置６０７２とを含む。タッチパネル６０７１は、タッチスクリーンとも呼ばれ、その上又は付近でのユーザのタッチ操作を取得可能である（たとえばユーザが指やスタイラスなどの任意の適切な物体や付属部材を用いたタッチパネル６０７１の上又はタッチパネル６０７１の付近での操作）。タッチパネル６０７１は、タッチ検出装置とタッチコントローラの２つの部分を含みうる。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ６１０に送り、プロセッサ６１０からの命令を受信して実行する。なお、タッチパネル６０７１は、抵抗膜式、静電容量式、赤外線、表面弾性波など、種々の方式を用いて実現することができる。ユーザ入力ユニット６０７は、タッチパネル６０７１の他に、他の入力装置６０７２を含んでもよい。具体的に、他の入力装置６７２は、物理的なキーボード、機能キー（例えば、音量調節キー、スイッチキーなど）、トラックボール、マウス、レバーを含み得るが、ここでは枚挙しない。
【００９０】
さらに、タッチパネル６０７１は、表示パネル６０６１に重ねられる。タッチパネル６０７１は、その上又はその近くでタッチ操作を検出すると、プロセッサ６１０に送信して、タッチイベントのタイプを決定する。次いで、プロセッサ６１０は、タッチイベントのタイプに応じて、対応する視覚的出力を表示パネル６０６１に提供する。図６では、タッチパネル６０７１と表示パネル６０６１は、独立した２つの部品として端末の入出力機能を実現するが、実施例によっては、タッチパネル６０７１と表示パネル６０６１を一体化して端末の入出力機能を実現することもでき、具体的にここでは限定しない。
【００９１】
インタフェースユニット６０８は、外部装置とユーザ端末６００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含み得る。インタフェースユニット６０８は、外部装置から入力（たとえば、データ情報、電力など）を受信し、受信した入力を端末６００内の１つ以上の要素に伝送するために使用されてもよく、又はユーザ端末６００と外部装置との間でデータを伝送するために使用されてもよい。
【００９２】
メモリ６０９は、ソフトウェアプログラム及び様々なデータを格納するために使用され得る。メモリ６０９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。さらに、メモリ６０９は、高速ランダムアクセスメモリを含んでもよく、少なくとも１つの磁気ディスク記憶装置、フラッシュメモリデバイスなどの非揮発性メモリ、又は他の揮発性固体記憶デバイスを含んでもよい。
【００９３】
プロセッサ６１０は、端末の制御センタであり、各種インタフェースや回線を用いて端末全体の各部を接続し、メモリ６０９に格納されたソフトウェアプログラム及び／又はモジュールを実行、メモリ６０９に格納されたデータを呼び出して端末の各種機能及び処理データを実行し、端末全体の監視を行う。プロセッサ６１０は、１つ以上の処理ユニットを含んでもよい。選択可能に、プロセッサ６１０は、オペレーティングシステム、ユーザインタフェース及びアプリケーションなどを主に処理するアプリケーションプロセッサと、ワイヤレス通信を主に処理するモデムプロセッサとを統合することができる。上述のモデムプロセッサは、プロセッサ６１０に統合されなくてもよいことが理解される。
【００９４】
ユーザ端末６００は、各設定要素に電力を供給するためのバッテリのような電源６１１をさらに含んでもよい。選択可能に、電源６１１は、電源管理システムを介してプロセッサ６１０に論理的に接続されてもよく、電源管理システムを介して充電、放電、及び消費電力管理などを管理する機能を実現してもよい。
【００９５】
また、ユーザ端末６００は、図示しない機能モジュールをさらに含んでもよく、ここでの説明は省略する。
【００９６】
選択可能に、本開示の一部の実施例は、プロセッサ６１０と、メモリ６０９と、前記メモリ６０９に記憶され、前記プロセッサ６１０で動作するコンピュータプログラムとを含むユーザ端末をさらに提供し、当該コンピュータプログラムがプロセッサ６１０によって実行されると、上記状態処理方法の実施例の各プロセスを実現し、かつ同じ技術効果を達することができるので、重複を避けるために、ここでは繰り返して説明しない。
【００９７】
図７を参照する。図７は、本開示の一部の実施例における基地局の構造図である。当該基地局は、上記実施例における状態処理方法の詳細を実現可能であり、同じ効果を達成することもできる。図７に示すように、基地局７００は、プロセッサ７０１と、トランシーバ７０２と、メモリ７０３と、ユーザインタフェース７０４と、バスインタフェースとを含む。ここで、プロセッサ７０１は、メモリ７０３からプログラムを読み取って、状態設定情報をユーザ端末に送信するプロセスを実行する。前記状態設定情報は、前記セカンダリセルの初期状態及び前記セカンダリセルに関連する帯域幅部分ＢＷＰの初期状態を、活性状態と非活性状態の間の状態である新規状態に設定するか否かを、前記ユーザ端末が決定することに用いられる。前記基地局から前記ユーザ端末に対して設定する前記セカンダリセルの数は、少なくとも１つである。
【００９８】
図７では、バスアーキテクチャは、任意数の相互接続するバスとブリッジを含み、具体的に、プロセッサ７０１をはじめとする１つ又は複数のプロセッサとメモリ７０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ７０２は、複数の部品であってもよく、即ち送信機と受信機を含み、伝送媒体でほかの各種類の装置と通信するユニットとして提供される。ユーザ端末によっては、ユーザインタフェース７０４は、内部接続や外部接続する機器のインタフェースであってもよい。接続する機器は、キーパッド、ディスプレイ、スピーカ、マイクロフォン、ジョイスティックなどを含むが、それらに限られない。
【００９９】
プロセッサ７０１は、バスアーキテクチャと通常の処理を管理する。メモリ７０３は、プロセッサ７０１による作業時に使用されるデータを記憶できる。
【０１００】
選択可能に、前記状態設定情報は、前記セカンダリセルの全て又は一部の初期状態が前記新規状態であることを指示し、前記セカンダリセルに関連する全て又は一部のＢＷＰの初期状態が前記新規状態であることを指示するための第１設定情報を含む。
【０１０１】
選択可能に、前記状態設定情報は、前記セカンダリセルの新規状態タイマのタイミング時間を指示するための第２設定情報をさらに含む。
【０１０２】
選択可能に、プログラムがプロセッサ７０１によって実行されると、前記基地局から前記ユーザ端末に対し設定した前記状態設定情報を前記ユーザ端末に送信するステップ、又は、ハンドオーバ先のターゲット基地局から前記ユーザ端末に対し設定した状態設定情報を前記ユーザ端末に送信するステップが実現される。ここで、前記ターゲット基地局は、ターゲット基地局から前記ユーザ端末に対し設定した状態設定情報が含まれるハンドオーバコマンドを前記基地局に送信する。前記基地局は、ハンドオーバコマンドを前記ユーザ端末に転送する。
【０１０３】
このように、本開示の一部の実施例において、セカンダリセルの初期状態及びセカンダリセルに関連するＢＷＰの初期状態を設定情報で設定することによって、新規状態の設定を実現する。よって、新規状態の導入による設定問題を解決し、セカンダリセル及びＢＷＰの迅速な活性化／非活性化をサポートする。
【０１０４】
本開示の一部の実施例は、コンピュータプログラムが記憶されているコンピュータ読み取り可能な記憶媒体をさらに提供し、当該コンピュータプログラムがプロセッサによって実行されると、上記状態処理方法の実施例の各プロセスが実現され、かつ同じ技術効果を奏することもできるので、重複を避けるために、ここでは繰り返して記載しない。ここで、本開示のコンピュータ読み取り可能な記憶媒体は、揮発性メモリ及び／又は非揮発性メモリであり、たとえば、リードオンリーメモリＲＯＭ（Ｒｅａｄ−Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ）、磁気ディスク又は光ディスクなど等である。
【０１０５】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１０６】
記載の便利や簡潔化のために、以上記載したシステム、装置及びユニットの具体的な動作プロセスは、これまで説明した実施例の方法における対応プロセスを参照されたく、ここでは繰り返して記載しない。これは、当業者にとって自明である。
【０１０７】
本願で提供されるいくつかの実施例において、開示された装置及び方法は、他の方式で実施され得ることを理解されたい。以上記載した実施例の装置は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各設定部分の相互間の結合や直接結合や通信接続は、インタフェース、装置又はユニットを介した間接結合や通信接続であってもよく、電気的、機械的、又は他の形式であってもよい。
【０１０８】
以上個別部品として説明したユニットは、物理的に離間したものであってもよく、そうでなくてもよい。ユニットとして示した部品は、物理ユニットであってもよく、そうでなくてもよい。すなわち、一箇所に位置してもよく、複数のネットワークユニットに位置してもよい。実際の必要に応じてそのうちの一部又はすべてのユニットを選択して本開示の実施例の目的を実現する。
【０１０９】
また、本開示の各実施例における各機能的ユニットは、１つの処理ユニットに一体化されていてもよいし、物理的に別々に設けられていてもよいし、２つ以上が一体化されてもよい。
【０１１０】
前記一体化ユニットは、ソフトウェア機能モジュールの形式で実現され独立した製品として販売又は使用される場合、コンピュータ読み取り可能な記憶媒体に格納されてもよい。このような理解に基づき、本開示の技術手段の実質的又は従来技術に貢献した部分、又は当該技術手段の部分は、ソフトウェアプロダクトの形式で現れる。当該コンピュータソフトウェアプロダクトは、記憶媒体に記憶され、本開示の各実施例に記載の方法のすべて又は一部のステップをコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ、ＲＡＭ、磁気ディスク又は光ディスクなど、プログラムコードを格納することができる様々な媒体を含む。
【０１１１】
以上の記載は、本開示の具体的な実施形態であるが、本開示の保護範囲は、これらに限定されない。当業者が本開示によって開示されている技術範囲内で容易に想到できる変化や置換は、すべて本開示の保護範囲内に含まれる。よって、本開示の保護範囲は、特許請求の範囲の保護範囲を基準とするべきである。
【図１】
2021510036.tif 000003
【図２】
2021510036.tif 000004
【図３】
2021510036.tif 000005
【図４】
2021510036.tif 000006
【図５】
2021510036.tif 000007
【図６】
2021510036.tif 000008
【図７】
2021510036.tif 000009
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
セカンダリセルに対し状態制御を行うための状態処理方法において、
基地局から送信された状態設定情報を受信するステップと、
前記状態設定情報に基づいて、セカンダリセルの初期状態及び前記セカンダリセルに関連する帯域幅部分ＢＷＰの初期状態を、活性状態と非活性状態の間の状態である新規状態に設定するか否かを決定するステップとを含み、
前記基地局からユーザ端末に対して設定する前記セカンダリセルの数は、少なくとも１つである、状態処理方法。
【請求項２】
前記状態設定情報は、前記セカンダリセルの全て又は一部の初期状態が前記新規状態であることを指示し、前記セカンダリセルに関連する全て又は一部のＢＷＰの初期状態が前記新規状態であることを指示するための第１設定情報を含む、請求項１に記載の状態処理方法。
【請求項３】
前記状態設定情報は、前記セカンダリセルの新規状態タイマのタイミング時間を指示するための第２設定情報をさらに含み、
基地局から送信された状態設定情報を受信するステップの後に、
前記第２設定情報に従って、前記セカンダリセルの新規状態タイマのタイミング時間を設定することと、
前記セカンダリセルが新規状態に入ると、前記セカンダリセルの新規状態タイマを起動又は再起動することと、
基地局からメディアアクセス制御ＭＡＣ制御エレメントＣＥを通じて前記セカンダリセルに対する、新規状態から非活性状態へのスイッチング、又は新規状態から活性状態へのスイッチング、又は新規状態から離れるとの指示がユーザ端末に受信されると、前記セカンダリセルの新規状態タイマを停止することと、
前記セカンダリセルの新規状態タイマがタイムアウトすると、前記セカンダリセルを非活性状態にハンドオーバすることとをさらに含む、請求項１に記載の状態処理方法。
【請求項４】
前記基地局は、ＲＲＣ接続再設定メッセージを通じて前記状態設定情報を送信する、請求項３に記載の状態処理方法。
【請求項５】
基地局から送信された状態設定情報を受信することは、
ソース基地局から前記ユーザ端末に対し設定した前記状態設定情報を受信すること、
又は、
ハンドオーバ先のターゲット基地局から前記ユーザ端末に対し設定した状態設定情報を受信することを含み、
ここで、前記ターゲット基地局は、ターゲット基地局から前記ユーザ端末に対し設定した状態設定情報が含まれるハンドオーバコマンドをソース基地局に送信し、
ソース基地局は、ハンドオーバコマンドを前記ユーザ端末に転送する、請求項３に記載の状態処理方法。
【請求項６】
前記ユーザ端末がアクセスする基地局が前記ターゲット基地局にハンドオーバした後に、
前記セカンダリセルの新規状態タイマが起動しかつタイムアウトでない場合、
前記新規状態タイマの動作が継続するように制御することと、前記新規状態タイマの動作が停止するように制御することと、前記新規状態タイマが再起動するように制御することとのいずれか一つを含む第１方式で前記新規状態タイマを処理することをさらに含む、請求項５に記載の状態処理方法。
【請求項７】
前記ユーザ端末がアクセスする基地局が前記ターゲット基地局にハンドオーバした後に、
前記セカンダリセルの非活性タイマが起動しかつタイムアウトでない場合、
前記非活性タイマの動作が継続するように制御することと、前記非活性タイマの動作が停止するように制御することと、前記非活性タイマが再起動するように制御することとのいずれか一つを含む第２方式で前記非活性タイマを処理することをさらに含む、請求項５に記載の状態処理方法。
【請求項８】
前記状態設定情報に基づいて、前記セカンダリセルの初期状態及び前記セカンダリセルに関連する帯域幅部分ＢＷＰの初期状態を新規状態に設定するか否かを決定するステップの後に、
前記ユーザ端末によるＢＷＰスイッチングの後に、ＢＷＰスイッチングの実行に対応するセカンダリセルであるターゲットセカンダリセルの状態を、所定規則に従って決定することをさらに含み、
前記所定規則は、
前記ターゲットセカンダリセルに関連するＭ（Ｍ≧１）個のＢＷＰのうち少なくともＪ（Ｍ≧Ｊ≧１）個のＢＷＰが新規状態であれば、前記ターゲットセカンダリセルを新規状態と決定すること、
前記ターゲットセカンダリセルに関連するＭ個のＢＷＰのうち最大でＫ（Ｋ＝Ｊ−１）個までのＢＷＰが新規状態であり、かつ少なくとも１つのＢＷＰが活性状態であれば、前記ターゲットセカンダリセルを活性状態と決定すること、
前記ターゲットセカンダリセルに関連するすべてのＢＷＰが非活性状態であれば、前記ターゲットセカンダリセルを非活性状態と決定することを含む、請求項１に記載の状態処理方法。
【請求項９】
セカンダリセルに対し状態制御を行うための状態処理方法において、
状態設定情報をユーザ端末に送信するステップを含み、
前記状態設定情報は、前記セカンダリセルの初期状態及び前記セカンダリセルに関連する帯域幅部分ＢＷＰの初期状態を、活性状態と非活性状態の間の状態である新規状態に設定するか否かを、前記ユーザ端末が決定することに用いられ、
基地局から前記ユーザ端末に対して設定する前記セカンダリセルの数は、少なくとも１つである、状態処理方法。
【請求項１０】
前記状態設定情報は、前記セカンダリセルの全て又は一部の初期状態が前記新規状態であることを指示し、前記セカンダリセルに関連する全て又は一部のＢＷＰの初期状態が前記新規状態であることを指示するための第１設定情報を含む、請求項９に記載の状態処理方法。
【請求項１１】
前記状態設定情報は、前記セカンダリセルの新規状態タイマのタイミング時間を指示するための第２設定情報をさらに含む、請求項９に記載の状態処理方法。
【請求項１２】
状態設定情報を前記ユーザ端末に送信することは、
前記基地局から前記ユーザ端末に対し設定した前記状態設定情報を前記ユーザ端末に送信すること、
又は、
ハンドオーバ先のターゲット基地局から前記ユーザ端末に対し設定した状態設定情報を前記ユーザ端末に送信することを含み、
ここで、前記ターゲット基地局は、ターゲット基地局から前記ユーザ端末に対し設定した状態設定情報が含まれるハンドオーバコマンドを前記基地局に送信し、
前記基地局は、ハンドオーバコマンドを前記ユーザ端末に転送する、請求項１０に記載の状態処理方法。
【請求項１３】
ユーザ端末であって、
基地局から送信された状態設定情報を受信するための受信モジュールと、
前記状態設定情報に基づいて、セカンダリセルの初期状態及び前記セカンダリセルに関連する帯域幅部分ＢＷＰの初期状態を、活性状態と非活性状態の間の状態である新規状態に設定するか否かを決定するための第１決定モジュールとを含み、
前記基地局から前記ユーザ端末に対して設定する前記セカンダリセルの数は、少なくとも１つである、ユーザ端末。
【請求項１４】
前記状態設定情報は、前記セカンダリセルの新規状態タイマのタイミング時間を指示するための第２設定情報をさらに含み、
前記第２設定情報に従って、前記セカンダリセルの新規状態タイマのタイミング時間を設定するための設定モジュールと、
前記セカンダリセルが新規状態に入ると、前記セカンダリセルの新規状態タイマを起動又は再起動するための起動モジュールと、
基地局からメディアアクセス制御ＭＡＣ制御エレメントＣＥを通じて前記セカンダリセルに対する、新規状態から非活性状態へのスイッチング、又は新規状態から活性状態へのスイッチング、又は新規状態から離れるとの指示がユーザ端末に受信されると、前記セカンダリセルの新規状態タイマを停止し、新規状態タイマがタイムアウトすると、前記セカンダリセルを非活性状態にハンドオーバするための第１制御モジュールとをさらに含む、請求項１３に記載のユーザ端末。
【請求項１５】
基地局であって、
状態設定情報をユーザ端末に送信するための送信モジュールを含み、
前記状態設定情報は、セカンダリセルの初期状態及び前記セカンダリセルに関連する帯域幅部分ＢＷＰの初期状態を、活性状態と非活性状態の間の状態である新規状態に設定するか否かを、前記ユーザ端末が決定することに用いられ、
前記基地局から前記ユーザ端末に対して設定する前記セカンダリセルの数は、少なくとも１つである、基地局。
【国際調査報告】
2021510036.tif 000010
2021510036.tif 000011
2021510036.tif 000012
2021510036.tif 000013